(57)【要約】【課題】鏡筒長を短くして収納可能なレンズ鏡筒を装着して使用する際の操作性を向上させた撮像装置を提供する。【解決手段】本発明に係る撮像装置（１３０）は、沈胴状態と撮影状態とを切り替え可能な撮像装置であって、ユーザによる操作によって回転するズームリングと、前記ズームリングの回転によって光軸方向に移動するレンズと、前記レンズの位置を検出する検出部（Ｓ１）と、前記検出部によって検出された前記レンズの位置が沈胴状態の位置である場合、沈胴状態であることを示す情報を表示する表示部（２０２）と、を備える。【選択図】図２
2018045246.tif 000002
【特許請求の範囲】
【請求項１】
沈胴状態と撮影状態とを切り替え可能な撮像装置であって、
ユーザによる操作によって回転するズームリングと、
前記ズームリングの回転によって光軸方向に移動するレンズと、
前記レンズの位置を検出する検出部と、
前記検出部によって検出された前記レンズの位置が沈胴状態の位置である場合、沈胴状態であることを示す情報を表示する表示部と、
を備える撮像装置。
【請求項２】
前記レンズは、ユーザが前記ズームリングを回転することによって、沈胴状態の位置から撮影状態の位置へ移動する、
請求項１に記載の撮像装置。
【請求項３】
前記表示部は、前記レンズが撮影状態の位置へ移動すると、前記情報を表示しない、
請求項１又は請求項２に記載の撮像装置。
【請求項４】
前記表示部は、前記レンズが撮影状態の位置へ移動すると、ライブビュー画像を表示する、
請求項１から請求項３の何れか１項に記載の撮像装置。
【請求項５】
前記表示部は、前記情報を文字で表示する、
請求項１から請求項４の何れか１項に記載の撮像装置。
【請求項６】
前記レンズの位置が撮影状態の位置である場合、光を発光する発光部を備える、
請求項１から請求項５の何れか１項に記載の撮像装置。
【請求項７】
前記発光部は、前記レンズの位置が沈胴状態の位置である場合、光を発光しない、
請求項６に記載の撮像装置。
【請求項８】
電力を供給する電力部と、
前記電力部が電力を供給する第１状態と電力を供給しない第２状態とを切り替える切替部と、を備え、
前記表示部は、前記電力部が前記第１状態から前記第２状態に切り替えられた際に、前記レンズの位置が沈胴状態の位置であると、前記情報を表示する、
請求項１から請求項７の何れか１項に記載の撮像装置。
【請求項９】
前記表示部は、前記電力部が前記第１状態から前記第２状態に切り替えられた際に、前記レンズの位置が撮影状態の位置であると、前記情報を表示しない、
請求項８に記載の撮像装置。
【請求項１０】
前記ズームリングと、前記レンズと、前記検出部と、を備えるレンズ鏡筒と、
前記表示部を備えるカメラボディと、を有し、
前記レンズ鏡筒と前記カメラボディとは着脱可能である、
請求項１から請求項９の何れか１項に記載の撮像装置。
【請求項１１】
前記レンズによる像を撮像する撮像部を備え、
沈胴状態における前記レンズと前記撮像部との間隔は、撮影状態における前記レンズと前記撮像部との間隔より狭い、
請求項１から請求項１０の何れか１項に記載の撮像装置。
【請求項１２】
沈胴状態であるか否かを検出可能なレンズ鏡筒を着脱可能なカメラボディであって、
前記レンズ鏡筒が沈胴状態であることを示す情報を前記レンズ鏡筒から受信する通信部と、
前記通信部が前記情報を受信すると、前記レンズ鏡筒が沈胴状態であることを示す表示を行う表示部と、を備える、
カメラボディ。
【発明の詳細な説明】
【技術分野】
【０００１】
本発明は、撮像装置及びカメラボディに関するものである。
【背景技術】
【０００２】
従来、ズーミング操作部材をズーミング動作の範囲外に操作することにより、レンズを光軸方向に沿ってマウント側へ移動させて鏡筒の全長（以下、鏡筒長という）を短くするように構成されたレンズ鏡筒が知られている（例えば、特許文献１参照）。
【先行技術文献】
【特許文献】
【０００３】
【特許文献１】特開平２−２５８１５号公報
【発明の概要】
【発明が解決しようとする課題】
【０００４】
上記のような鏡筒長を短くして収納可能なレンズ鏡筒を装着したカメラにおいては、電源がオンしている使用状態から不使用の状態にするには、レンズ鏡筒の鏡筒長を短くした後、カメラボディの電源をオフすることになるため、操作性が悪いという問題があった。
【課題を解決するための手段】
【０００５】
本発明は、沈胴状態と撮影状態とを切り替え可能な撮像装置であって、ユーザによる操作によって回転するズームリングと、前記ズームリングの回転によって光軸方向に移動するレンズと、前記レンズの位置を検出する検出部と、前記検出部によって検出された前記レンズの位置が沈胴状態の位置である場合、沈胴状態であることを示す情報を表示する表示部と、を備える撮像装置に関する。
また、本発明は、沈胴状態であるか否かを検出可能なレンズ鏡筒を着脱可能なカメラボディであって、前記レンズ鏡筒が沈胴状態であることを示す情報を前記レンズ鏡筒から受信する通信部と、前記通信部が前記情報を受信すると、前記レンズ鏡筒が沈胴状態であることを示す表示を行う表示部と、を備えるカメラボディに関する。
【発明の効果】
【０００６】
本発明によれば鏡筒長を短くして収納可能なレンズ鏡筒を使用する際の操作性を向上させた撮像装置及びカメラボディを提供することができる。
【図面の簡単な説明】
【０００７】
【図１】第１実施形態のカメラシステムを示す概略断面図である。
【図２】第１実施形態におけるカメラシステムの構成を示す回路図である。
【図３】第１実施形態に示す２つのスイッチの状態とカメラシステムの電源状態との組み合わせを示す説明図である。
【図４】第２実施形態におけるカメラシステムの構成を示す回路図である。
【図５】第２実施形態において電源部による電力の供給を遮断している状態から電力の供給を開始するまでの電源制御部による処理手順を示すフローチャートである。
【図６】第２実施形態において電源部による電力を供給している状態から電力の供給を遮断するまでの電源制御部による処理手順を示すフローチャートである。
【発明を実施するための形態】
【０００８】
以下、図面を参照して、本発明に係わる撮像装置をデジタルカメラに適用した場合の実施形態について説明する。なお、図１の説明では、被写体側（図中左側）を前側といい、液晶モニタ２０２側（図中右側）を後側という。
（第１実施形態）
【０００９】
図１は、第１実施形態のカメラシステムを示す概略断面図である。カメラシステム１００は、光学系を移動可能に保持するレンズ鏡筒１０１と、撮像装置としてのカメラ本体１３０とを備える。カメラシステム１００はレンズ交換式のデジタルカメラであり、カメラ本体１３０に対して、レンズ鏡筒１０１が着脱自在に装着される。
【００１０】
まず、レンズ鏡筒１０１について説明する。図１において、光軸Ａの上側半分は、レンズ鏡筒１０１の鏡筒長を短くして収納した状態（以下、収納状態という）での断面図を示し、下側半分は撮影状態での断面図を示している。図１に示す撮影状態において、後述の前群レンズＬ１及び後群レンズＬ２からなる光学系と後述の撮像部２０１とは、光軸Ａ方向に第１の間隔を置いて配置された状態となる。また、図１に示す収納状態において、前群レンズＬ１及び後群レンズＬ２からなる光学系と撮像部２０１との間隔は、前記第１の間隔よりも狭い第２の間隔で配置された状態となる。
【００１１】
レンズ鏡筒１０１は、図１に示すように、マウント筒１１０、マウント筒１１０に固定された固定筒１０６、固定筒１０６の外周部に配置されたカム環１０７、レンズ群保持枠１０５、ズーム操作環１０８、固定筒１０６の内周部に配置された前群レンズ室１０３、及び後群レンズ室１０４などを備える。なお、図１では、レンズ鏡筒１０１における絞り機構、ＡＦ駆動機構、及びレンズ側ＣＰＵなどの図示を省略する。
【００１２】
図１において、ズーム操作環１０８がユーザにより回転操作されると、ズーム操作環１０８に固定されたズーム連動レバー１０９が回動するとともに、このズーム連動レバー１０９に固定されたカム環１０７が回動する。すなわち、ズーム操作環１０８に連動してカム環１０７が回動する。カム環１０７は、光軸Ａ回りに沿って形成された外周溝１０７ａを備える。また、固定筒１０６は、爪部１０６ａを備える。カム環１０７の外周溝１０７ａは、固定筒１０６の爪部１０６ａと係合する。このため、カム環１０７は、固定筒１０６に対して光軸Ａ方向の位置が固定されたまま、光軸Ａ回りに回動可能となる。
【００１３】
レンズ群保持枠１０５は、前群レンズ室１０３を保持する。また、レンズ群保持枠１０５は、カムピン１０５ａを備える。固定筒１０６は、図示しない直進溝を備える、カム環１０７は、カム溝１０７ｂを備える。レンズ群保持枠１０５のカムピン１０５ａは、固定筒１０６の前記直進溝及びカム溝１０７ｂと係合する。このため、ズーム操作環１０８が回転操作されると、カム環１０７が光軸Ａ回りに回動する。カム環１０７が回動すると、カム溝１０７ｂと係合するカムピン１０５ａがカム溝１０７ｂに押されながら移動する。カムピン１０５ａは、固定筒１０６の前記直進溝により光軸Ａ回りへの移動が規制されているため、前記直進溝に沿って光軸Ａ方向に移動する。したがって、ズーム操作環１０８が回転操作されると、光軸Ａ方向に移動するカムピン１０５ａを備えたレンズ群保持枠１０５とともに、前群レンズ室１０３に保持された前群レンズＬ１が光軸Ａ方向に沿って前側又は後側に移動する。このように、レンズ鏡筒１０１は、ズーム操作環１０８を回転操作することにより、焦点距離を変化させるズームレンズとして構成されている。
【００１４】
後群レンズ室１０４は、フォーカス調整用の後群レンズＬ２を保持する。後群レンズ室１０４は、図示しないアクチュエータにより光軸Ａ方向の前側又は後側に駆動される。後群レンズ室１０４は、前群レンズ室１０３に設けられた図示しないリード溝と係合する。リード溝は、光軸Ａ方向に沿って設けられている。後群レンズ室１０４が前記アクチュエータにより駆動されると、後群レンズ室１０４は前記リード溝に沿って移動する。これにより、前群レンズＬ１に対する後群レンズＬ２の距離が変化して、後述する撮像部２０１に結像される被写体像のフォーカスが調整される。
【００１５】
なお、上述した前群レンズ室１０３、後群レンズ室１０４、レンズ群保持枠１０５、固定筒１０６、カム環１０７、ズーム操作環１０８、マウント筒１１０を含む構成は、前群レンズＬ１及び後群レンズＬ２からなる光学系と撮像部２０１との間隔を、前記第１の間隔よりも狭い第２の間隔に変更する間隔変更手段として機能する。
【００１６】
また、固定筒１０６は、状態検出スイッチＳ１を備える。状態検出スイッチＳ１は、前群レンズＬ１及び後群レンズＬ２からなる光学系と撮像部２０１との間隔が、前記第２の間隔となったことを検出する検出手段である。状態検出スイッチＳ１は、図１の撮影状態（下半分）に示すように、前群レンズＬ１及び後群レンズＬ２からなる光学系と撮像部２０１との間隔が前記第１の間隔に対応する位置にあるときは、第１の状態をとる。すなわち、状態検出スイッチＳ１は、図１に破線で示すように、スイッチの先端が前側に突出した状態となる。また、状態検出スイッチＳ１は、図１の上半分に示すように、前群レンズＬ１及び後群レンズＬ２からなる光学系と撮像部２０１との間隔が前記第２の間隔に対応する位置に移動した際には、前記第１の状態とは異なる第２の状態へ変位する。すなわち、状態検出スイッチＳ１は、図１に実線で示すように、スイッチの先端がレンズ群保持枠１０５の後端面１０５ｂにより後側に押された状態となる。なお、状態検出スイッチＳ１の第１の状態及び第２の状態については後述する。
【００１７】
マウント筒１１０は、光軸回りに複数のバヨネット爪１１０ａを備える。また、カメラ本体１３０は、マウント部（符号省略）の光軸回りに複数のバヨネット爪１３０ａを備える。レンズ鏡筒１０１側のバヨネット爪１１０ａとカメラ本体１３０側のバヨネット爪１３０ａとを噛み合わせることによって、カメラ本体１３０にレンズ鏡筒１０１を固定（装着）することができる。また、マウント筒１１０は、複数のレンズ側電気接点１２０を備える。レンズ側電気接点１２０は、内部にレンズ接点１２０ａが挿入されている。各レンズ接点１２０ａは、レンズ側ＦＰＣ（フレキシブルプリント基板）１２１と接続されている。レンズ側ＦＰＣ１２１は、後述するレンズ側ＣＰＵ１１１と接続されている。
【００１８】
次に、カメラ本体１３０について説明する。カメラ本体１３０は、前記マウント部に、複数のカメラ側電気接点１３１を備える。各カメラ側電気接点１３１の後端は、導電性を有する付勢バネ１３２によりレンズ鏡筒１０１側に付勢されている。付勢バネ１３２の後端は、カメラ側ＦＰＣ１３３の表面に形成された図示しない導通部と接触している。一方、カメラ側ＦＰＣ１３３の裏面側は、ＦＰＣ当て板１３４により押さえられている。このため、カメラ側電気接点１３１は、レンズ側電気接点１２０側に付勢された状態でレンズ側電気接点１２０と接触する。また、カメラ側ＦＰＣ１３３は、カメラ側ＣＰＵ２００と接続されている。これにより、図示しないレンズ側ＣＰＵとカメラ側ＣＰＵ２００との間で、各種信号やデータの通信が行われる。なお、図１には示していないが、カメラ本体１３０からレンズ鏡筒１０１側への電力の供給も、上記のような電気接点を介して行われる。
【００１９】
カメラ本体１３０は、更に撮像部２０１、液晶モニタ２０２、電源状態表示ランプ２０３、及び電源スイッチＳ２を備える。撮像部２０１は、レンズ鏡筒１０１により結像された被写体像を撮像する図示しない撮像素子を備える。撮像部２０１で撮像された被写体像は、電気的な画像信号に変換された後、図示しない画像処理部へ出力される。液晶モニタ２０２は、撮像部２０１で撮像された被写体像（再生画像、ライブビュー画像など）のほか、撮影条件や操作に関する情報や、設定情報などを表示する表示手段である。電源状態表示ランプ２０３は、ユーザに対し電源の状態を知らせるためのランプである。電源状態表示ランプ２０３は、電源がオンしているときに点灯し、電源がオフしているときに消灯する。
【００２０】
電源スイッチＳ２は、カメラ本体１３０に設けられた後述する電源部２０５による電力の供給を選択的に切り換えるスライドスイッチである。電源スイッチＳ２をオン（ＯＮ）位置に切り換えると、電源部２０５から電力が供給される。一方、電源スイッチＳ２をオフ（ＯＦＦ）位置に切り換えると、電源部２０５から電力が供給されなくなる。
【００２１】
なお、カメラ本体１３０の内部には、図示しないミラーユニット、ファインダ光学部、測光部、測距部、シャッタ機構などが配置されている。
【００２２】
図２は、カメラシステム１００の構成を示す回路図である。図２では、図１と同等部分を同一符号で示している。図２において、レンズ鏡筒１０１とカメラ本体１３０との間にある接点Ａ〜Ｄは、図１に示すレンズ側電気接点１２０とカメラ側電気接点１３１との接点に相当する。
【００２３】
レンズ鏡筒１０１の状態検出スイッチＳ１は、レンズ鏡筒１０１が図１の上半分に示す収納状態では、スイッチ接点が閉じて導通状態（以下、第２の状態という）となり、レンズ鏡筒１０１が図１の下半分に示す撮影状態ではスイッチ接点が開いて非導通状態（以下、第１の状態という）となるスイッチである。レンズ側ＣＰＵ１１１は、図示しない絞り機構、ＡＦ駆動機構を制御する回路である。
【００２４】
カメラ本体１３０は、カメラ側ＣＰＵ２００、ＤＣ−ＤＣコンバータ２０４及び電源部２０５が、電源スイッチＳ２、抵抗Ｒ１、Ｒ２及びトランジスタＴｒ１を介して接続されている。
【００２５】
カメラ側ＣＰＵ２００は、カメラシステム１００全体を統合的に制御する回路であり、ＤＣ−ＤＣコンバータ２０４、及びトランジスタＴｒ１を介して電源部２０５と接続されている。また、カメラ側ＣＰＵ２００は、撮像部２０１及び表示制御回路２０６の動作に必要な信号を供給するとともに、電源部２０５による電力を供給している。
【００２６】
電源部２０５は、ＤＣ−ＤＣコンバータ２０４を介して、カメラ側ＣＰＵ２００及びレンズ側ＣＰＵ１１１に電力を供給する電源装置である。カメラ側ＣＰＵ２００は、電源部２０５から電力が供給されている間は、撮像部２０１に撮像制御信号及び電力を供給し、表示制御回路２０６にランプ点灯信号及び電力を供給する。一方、カメラ側ＣＰＵ２００は、電源部２０５から電力が供給されなくなると、撮像部２０１及び表示制御回路２０６の動作に必要な信号と電力の供給を停止する。すなわち、電源部２０５は、撮像部２０１に選択的に電力を供給する電源装置として機能する。
【００２７】
電源部２０５とＤＣ−ＤＣコンバータ２０４との間は、トランジスタＴｒ１により接続されている。トランジスタＴｒ１は、ＰＮＰ型のトランジスタであり、ベース（Ｂ）にベース電流が流れると、エミッタ（Ｅ）からコレクタ（Ｃ）へ電流が流れる。すなわち、電源部２０５からの電流がＤＣ−ＤＣコンバータ２０４へ供給される。また、ベース（Ｂ）にベース電流が流れなくなると、エミッタ（Ｅ）からコレクタ（Ｃ）へ電流が流れなくなる。すなわち、電源部２０５からＤＣ−ＤＣコンバータ２０４への電流の供給が遮断される。トランジスタＴｒ１のエミッタ（Ｅ）からコレクタ（Ｃ）への電流の流れは、ベース（Ｂ）の電位により制御される。すなわち、ベース（Ｂ）の電位が低ければ、ベース（Ｂ）にベース電流が流れるので、エミッタ（Ｅ）からコレクタ（Ｃ）へ電流が流れる。また、ベース（Ｂ）の電位が高ければ、ベース（Ｂ）にベース電流が流れないので、エミッタ（Ｅ）からコレクタ（Ｃ）への電流も流れなくなる。ベース（Ｂ）の電位は、後述するように、状態検出スイッチＳ１の状態により制御される。
【００２８】
状態検出スイッチＳ１は、上述したように、レンズ鏡筒１０１が収納状態ではスイッチ接点が閉じて導通状態（第２の状態）となり、レンズ鏡筒１０１が撮影状態ではスイッチ接点が開いて非導通状態（第１の状態）となるスイッチである。すなわち、状態検出スイッチＳ１は、前群レンズＬ１及び後群レンズＬ２からなる光学系と撮像部２０１との間隔が、第１の間隔よりも狭い第２の間隔に対応する場合は第２の状態となり、前群レンズＬ１及び後群レンズＬ２からなる光学系と撮像部２０１との間隔が、第１の間隔に対応する場合は第１の状態となる。
【００２９】
状態検出スイッチＳ１が第２の状態になると、トランジスタＴｒ１のベース（Ｂ）にベース電流が流れなくなるため、エミッタ（Ｅ）からコレクタ（Ｃ）への電流も流れなくなる。このため、電源部２０５からＤＣ−ＤＣコンバータ２０４への電流の供給が遮断される。一方、状態検出スイッチＳ１が第１の状態になると、トランジスタＴｒ１のベース（Ｂ）にベース電流が流れるため、エミッタ（Ｅ）からコレクタ（Ｃ）へ電流が流れる。このため、電源部２０５からＤＣ−ＤＣコンバータ２０４へ電流が供給される。
【００３０】
図２において、トランジスタＴｒ１を中心として結線された回路は、本実施形態における遮断手段を構成する。この遮断手段は、電源部２０５が撮像部２０１に電力を供給している状態で、状態検出スイッチＳ１により、前群レンズＬ１及び後群レンズＬ２からなる光学系と撮像部２０１との間隔が第２の間隔となったことが検出された場合、すなわち、状態検出スイッチＳ１が第２の状態となった場合に、電源部２０５による電力の供給を遮断する。また、遮断手段は、電源部２０５が電力を供給している状態で、状態検出スイッチＳ１によって電力の供給を遮断した場合は、状態検出スイッチＳ１が第２の状態から第１の状態へ変位することによって、電力の供給を再開する。
【００３１】
カメラ本体１３０の電源スイッチＳ２は、トランジスタＴｒ１のベース（Ｂ）と電源部２０５との間を導通又は非導通とするスイッチである。電源スイッチＳ２は、図１に示すオン位置に切り換えると、スイッチ接点が開いて非導通状態となり、図１に示すオフ位置に切り換えると、スイッチ接点が閉じて導通状態となる。
【００３２】
また、カメラ側ＣＰＵ２００は、表示制御回路２０６と接続されている。表示制御回路２０６は、電源状態表示ランプ２０３の点灯／消灯、及び液晶モニタ２０２の画面表示を制御する回路である。カメラ側ＣＰＵ２００は、ＤＣ−ＤＣコンバータ２０４から電力が供給されることでオン状態となる。カメラ側ＣＰＵ２００は、ＤＣ−ＤＣコンバータ２０４から電力が供給されている間は、表示制御回路２０６にランプ点灯信号及び電力を供給して、電源状態表示ランプ２０３を点灯させる。また、カメラ側ＣＰＵ２００は、表示制御回路２０６に液晶モニタ２０２の表示に必要なクロック信号やデータ信号などを供給するとともに、液晶駆動用の電力を供給して、液晶モニタ２０２の表示を行わせる。
一方、カメラ側ＣＰＵ２００は、ＤＣ−ＤＣコンバータ２０４から電力が供給されなくなるとオフ状態となる。このとき、カメラ側ＣＰＵ２００から表示制御回路２０６へのランプ点灯信号及び電力の供給が停止するので、電源状態表示ランプ２０３が消灯する。同時に、カメラ側ＣＰＵ２００から表示制御回路２０６への液晶モニタ２０２の表示に必要な信号や電力の供給も停止するので、液晶モニタ２０２の表示が停止する。
【００３３】
次に、図２に示す回路の動作について説明する。図２において、状態検出スイッチＳ１及び電源スイッチＳ２がともに開いている場合、すなわち、レンズ鏡筒１０１が撮影位置にあり、電源スイッチＳ２がオン位置にある場合は、抵抗Ｒ１の電圧Ｖ１がＬｏｗレベルとなり、トランジスタＴｒ１のベース（Ｂ）にベース電流が流れるため、エミッタ（Ｅ）からコレクタ（Ｃ）に向けて、電源部２０５からの電流が流れる。この電流は、ＤＣ−ＤＣコンバータ２０４で増幅され、カメラ側ＣＰＵ２００に電力として供給される。また、ＤＣ−ＤＣコンバータ２０４で増幅された電流は、接点Ｃを介してレンズ側ＣＰＵ１１１に電力として供給される。
【００３４】
これにより、レンズ側ＣＰＵ１１１とカメラ側ＣＰＵ２００とが起動し、これらＣＰＵの間において、接点Ｂを介して通信が行われる。ここでは、ＡＦやＡＥなどを行うためのデータ信号、クロック信号、及び制御信号などが送受信される。このように、レンズ鏡筒１０１が撮影状態にあり、且つ電源スイッチＳ２がオン位置にある場合は、カメラシステム１００による撮影が可能となる。
【００３５】
また、図２において、状態検出スイッチＳ１が閉じて、電源スイッチＳ２が開いている場合、すなわち、レンズ鏡筒１０１が収納状態にあり、電源スイッチＳ２がオン位置にある場合は、抵抗Ｒ２に電流が流れるだけなので、抵抗Ｒ１の電圧Ｖ１がＨｉｇｈレベルとなる。このため、トランジスタＴｒ１のベース（Ｂ）にベース電流が流れなくなり、エミッタ（Ｅ）からコレクタ（Ｃ）に向けて、電源部２０５からの電流も流れなくなる。この場合、ＤＣ−ＤＣコンバータ２０４がオフ状態となるため、カメラ側ＣＰＵ２００もオフ状態となる。カメラ側ＣＰＵ２００がオフ状態になると、表示制御回路２０６へのランプ点灯信号及び電力の供給が停止するので、電源状態表示ランプ２０３は消灯する。同時に、液晶モニタ２０２の表示も停止する。このように、レンズ鏡筒１０１が収納状態にある場合は、電源スイッチＳ２がオン位置にあっても、カメラシステム１００による撮影は不能となる。
【００３６】
また、図２において、状態検出スイッチＳ１が開いて、電源スイッチＳ２が閉じている場合、すなわち、レンズ鏡筒１０１が撮影状態にあり、電源スイッチＳ２がオフ位置にある場合は、抵抗Ｒ２に電流が流れるだけなので、抵抗Ｒ１の電圧Ｖ１がＨｉｇｈレベルとなる。このため、トランジスタＴｒ１のベース（Ｂ）にベース電流が流れなくなり、エミッタ（Ｅ）からコレクタ（Ｃ）に向けて、電源部２０５からの電流も流れなくなる。この場合、上述したように、ＤＣ−ＤＣコンバータ２０４及びカメラ側ＣＰＵ２００がオフ状態となり、表示制御回路２０６へのランプ点灯信号及び電力の供給も停止するので、電源状態表示ランプ２０３は消灯する。同時に、液晶モニタ２０２の表示も停止する。このように、レンズ鏡筒１０１が撮影状態にあっても、電源スイッチＳ２がオフ位置にある場合は、カメラシステム１００による撮影は不能となる。
【００３７】
また、図２において、状態検出スイッチＳ１が閉じて、電源スイッチＳ２も閉じている場合、すなわち、レンズ鏡筒１０１が収納状態にあり、電源スイッチＳ２が閉じている場合も、抵抗Ｒ２に電流が流れるだけなので、抵抗Ｒ１の電圧Ｖ１がＨｉｇｈレベルとなる。このため、トランジスタＴｒ１のベース（Ｂ）にベース電流が流れなくなり、エミッタ（Ｅ）からコレクタ（Ｃ）に向けて、電源部２０５からの電流も流れなくなる。この場合、上述したように、ＤＣ−ＤＣコンバータ２０４及びカメラ側ＣＰＵ２００がオフ状態となり、表示制御回路２０６へのランプ点灯信号及び電力の供給も停止するので、電源状態表示ランプ２０３は消灯する。同時に、液晶モニタ２０２の表示も停止する。このように、レンズ鏡筒１０１が収納状態にあり、且つ電源スイッチＳ２もオフ位置にある場合も、カメラシステム１００による撮影は不能となる。
【００３８】
図３は、上述した２つのスイッチの状態とカメラシステム１００の電源状態との組み合わせを示す説明図である。図３に示すように、第１実施形態のカメラシステム１００では、レンズ鏡筒１０１が撮影状態（状態検出スイッチＳ１がオフ位置）にあり、且つ電源スイッチＳ２がオン位置にある場合にのみ、撮影が可能となる。また、撮影が可能なときは、電源状態表示ランプ２０３が点灯し、撮影が不能なときは、電源状態表示ランプ２０３が消灯する。
【００３９】
上述した第１実施形態によれば、以下の効果を奏する。
（１）電源部２０５が撮像部２０１に電力を供給している状態で、状態検出スイッチＳ１によりレンズ鏡筒１０１が収納状態となったことが検出されたときは、電源部２０５による電力の供給を遮断するようにしたので、ユーザはレンズ鏡筒１０１を収納状態とするだけでカメラシステム１００の電源をオフ状態とすることができる。したがって、鏡筒長を短くして収納可能なレンズ鏡筒を装着したときの操作性を向上することができる。また、上記のような条件で電源をオフ状態とすることにより、レンズ鏡筒１０１を収納状態とした後に電源をオフし忘れて、バッテリーが無駄に消費するのを防止することができる。
（２）状態検出スイッチＳ１は、前群レンズＬ１及び後群レンズＬ２からなる光学系と撮像部２０１との間隔に応じて第１／第２の状態に変位するスイッチであるため、レンズ鏡筒１０１が収納状態か撮影状態かを簡単な構成で検出することができる。また、スイッチとしての構成が簡単であるため、長期間に亘って安定的に動作させることができる。
（３）上記（１）において、状態検出スイッチＳ１により電源部２０５による電力の供給を遮断した場合は、状態検出スイッチＳ１が第２の状態から第１の状態へ変位することによって電力の供給を再開するようにしたので、ユーザはレンズ鏡筒１０１を収納状態から撮影状態まで繰出すことにより、電源スイッチＳ２を操作することなしに、カメラシステム１００の電源をオン状態とすることができる。
（４）トランジスタＴｒ１を含む回路により、レンズ鏡筒１０１が収納状態か撮影状態かに応じて、電源部２０５による電力の供給を遮断／再開するようにしたので、レンズ鏡筒１０１が収納状態か撮影状態かに応じた電源のオン／オフを簡単な構成で実現することができる。
（５）電源スイッチＳ２がオン位置で且つレンズ鏡筒１０１が繰り出しているときは、電源状態表示ランプ２０３が点灯し、電源スイッチＳ２がオフ位置或いはレンズ鏡筒１０１が収納状態であれば、電源状態表示ランプ２０３が消灯するため、ユーザは撮影可能であるか不能であるかを、電源状態表示ランプ２０３の点灯／消灯により容易に識別することができる。
（第２実施形態）
【００４０】
図４は、第２実施形態におけるカメラシステム１００Ａの構成を示す回路図である。図４では。図２と同等部分を同一符号で示している。
【００４１】
本実施形態のカメラ本体１３０Ａは、ＤＣ−ＤＣコンバータ２０４と電源部２０５との間に、電源制御部２０７が接続されている。電源制御部２０７は、状態検出スイッチＳ１、電源スイッチＳ２、及び表示制御回路２０６と接続されている。電源制御部２０７は、状態検出スイッチＳ１の状態と、電源スイッチＳ２の状態とに応じて、電源部２０５による電力の供給を選択的に制御する回路であり、マイクロプロセッサにより構成されている。電源制御部２０７は、後述するように、電源スイッチＳ２がオン位置に切り換えられた際に、状態検出スイッチＳ１が第２の状態であるときは、表示制御回路２０６にメッセージ表示信号及び電力を供給する。なお、電源スイッチＳ２がオン位置にあり、且つ状態検出スイッチＳ１が第１の状態であるときは、電源制御部２０７からＤＣ−ＤＣコンバータ２０４を経てカメラ側ＣＰＵ２００に電力が供給される。
【００４２】
電源制御部２０７は、電源部２０５から撮像部２０１に電力を供給している状態で、状態検出スイッチＳ１により、前群レンズＬ１及び後群レンズＬ２からなる光学系と撮像部２０１との間隔が第２の間隔となったことが検出された場合、すなわち、状態検出スイッチＳ１が第２の状態となった場合は、電源部２０５による電力の供給を遮断する遮断手段として機能する。また、電源制御部２０７は、上記遮断手段としての機能において、電源部２０５が電力を供給している状態で、状態検出スイッチＳ１によって電力の供給を遮断した場合は、状態検出スイッチＳ１が第２の状態から第１の状態へ変位することよって、電力の供給を再開する。
【００４３】
また、電源制御部２０７は、電源スイッチＳ２がオン位置に切り換えられた際に、状態検出スイッチＳ１が第２の状態であるとき、すなわちレンズ鏡筒１０１が収納状態にあるときは、表示制御回路２０６に制御信号となるメッセージ表示信号及び電力を供給して、液晶モニタ２０２に、「レンズが収納されています」などのメッセージを表示させる。このメッセージは、電源スイッチＳ２がオン位置に切り換えられていても、レンズ鏡筒１０１が収納状態であるために電源がオフ状態となっていることをユーザに知らせるためのものである。このメッセージが表示されている間は、電源スイッチＳ２がオン位置に切り換えられていても、カメラシステム１００の電源はオフ状態のままとなる。
【００４４】
すなわち、電源制御部２０７（及び液晶モニタ２０２）は、電源スイッチＳ２がオン位置に切り換えられた際に、前群レンズＬ１及び後群レンズＬ２からなる光学系と撮像部２０１との間隔が第２の間隔となったことが検出された場合に、ユーザにレンズ鏡筒１０１が収納状態であることを報知する報知手段として機能する。
【００４５】
また、電源制御部２０７は、電源スイッチＳ２がオン位置に切り換えられた際に、状態検出スイッチＳ１が第１の状態であるとき、すなわちレンズ鏡筒１０１が撮影位置にあるときは、電源部２０５からの電力をＤＣ−ＤＣコンバータ２０４へ供給する。この場合、カメラシステム１００の電源はオン状態となる。また同時に、電源制御部２０７は、表示制御回路２０６へのメッセージ表示信号及び電力の供給を停止する。
【００４６】
次に、電源制御部２０７の動作について説明する。図５は、電源部２０５による電力の供給を遮断している状態から電力の供給を開始するまでの電源制御部２０７による処理手順を示すフローチャートである。
【００４７】
まず、電源制御部２０７は、電源スイッチＳ２がオン位置に切り換えられたかどうかを判定する（Ｓ１０１）。ここでＮｏであれば、ステップＳ１０１の判定に戻り、Ｙｅｓであれば、状態検出スイッチＳ１が第２の状態かどうか、すなわちレンズ鏡筒１０１が収納状態か判定する（Ｓ１０２）。ここでＮｏであれば、電源制御部２０７は、ＤＣ−ＤＣコンバータ２０４に、電源部２０５による電力を供給する（Ｓ１０３）。これにより、カメラ側ＣＰＵ２００及びレンズ側ＣＰＵ１１１に電力が供給され、両ＣＰＵの間で各種信号やデータの通信が行われる。また、カメラ側ＣＰＵ２００から表示制御回路２０６にランプ点灯信号及び電力が供給されることにより、電源状態表示ランプ２０３が点灯する。一方、ステップＳ１０２の判定でＹｅｓであれば、表示制御回路２０６にメッセージ表示信号及び電力を供給して、液晶モニタ２０２に、レンズ鏡筒１０１が収納状態であるために電源がオフ状態であることを知らせるメッセージを表示させる（Ｓ１０４）。このときは、表示制御回路２０６に電力が供給されるが、表示制御回路２０６により、電源状態表示ランプ２０３は消灯する。この後、電源制御部２０７は、後述する図６に示すフローチャートの処理へ移行する。
【００４８】
図６は、電源部２０５からの電力を供給している状態から電力の供給を遮断するまでの電源制御部２０７による処理手順を示すフローチャートである。
【００４９】
まず、電源制御部２０７は、電源スイッチＳ２がオフ位置に切り換えられたかどうかを判定する（Ｓ２０１）。ここでＮｏであれば、電源制御部２０７は、状態検出スイッチＳ１が第２の状態かどうかを判定する（Ｓ２０２）。ここで、Ｎｏであれば、ステップＳ２０１の判定に戻る。一方、ステップＳ２０２の判定でＹｅｓであれば、電源制御部２０７は、ＤＣ−ＤＣコンバータ２０４への電源部２０５による電力の供給を遮断する（Ｓ２０３）。この場合、電源スイッチＳ２はオン位置であっても、電源状態表示ランプ２０３は消灯し、また液晶モニタ２０２の表示も停止する。また、ステップＳ２０１の判定でＹｅｓの場合も、ステップＳ２０３へ進み、上記のように電源部２０５による電力の供給を遮断する。この後、電源制御部２０７は、上述した図５に示すフローチャートの処理へ移行する。
【００５０】
上述した第２実施形態によれば、第１実施形態の（１）〜（３）、（５）と同等の効果を奏する。さらに、第２実施形態によれば、以下の効果を奏する。
（６）電源制御部２０７により、状態検出スイッチＳ１の状態と、電源スイッチＳ２の状態とに応じて、電源部２０５による電力の供給を選択的に制御するようにしたので、レンズ鏡筒１０１が収納状態か撮影状態かに応じた電源のオン／オフを簡単なプログラムにより実現することができる。
（７）電源スイッチＳ２がオン位置に切り換えられた際に、状態検出スイッチＳ１が第２の状態（オン位置）であるときは、液晶モニタ２０２に「レンズが収納されています」などのメッセージを表示させるようにしたので、ユーザは電源スイッチＳ２をオン位置に切り換えたにもかかわらず、電源がオン状態とならない原因を容易に理解することができる。
（変形形態）
【００５１】
以上説明した実施形態に限定されることなく、本発明は以下に示すような種々の変形や変更が可能であり、それらも本発明の範囲内である。
（１）状態検出スイッチＳ１は、レンズ鏡筒１０１が収納状態にあることを検出することができ、且つ光学性能に影響を与えない場所であれば、図示の位置に限らず、どのような場所に配置されていてもよい。また、状態検出スイッチＳ１をセンサで構成してもよい。
（２）第２実施形態のように、状態検出スイッチＳ１の状態と、電源スイッチＳ２の状態とに応じて、電源部２０５による電力の供給を選択的に制御する電源制御と、電源スイッチＳ２の状態のみで電源のオン／オフを制御する通常の電源制御とを、ユーザの選択に応じて切り換え可能な構成としてもよい。
（３）上記実施形態では、本発明をレンズ交換式のデジタルカメラに適用した例について示したが、本発明はこれに限らず、レンズ一体式のカメラやビデオカメラなどにも適用することができる。
【００５２】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００５３】
１００，１００Ａ：カメラシステム、１０１：レンズ鏡筒、１１１：レンズ側ＣＰＵ、１３０，１３０Ａ：カメラ本体、２００：カメラ側ＣＰＵ、２０１：撮像部、２０２：液晶モニタ、２０３：電源状態表示ランプ、２０４：ＤＣ−ＤＣコンバータ、２０５：電源部、２０６：表示制御回路、２０７：電源制御部、Ｔｒ１：トランジスタ、Ｓ１：状態検出スイッチ、Ｓ２：電源スイッチ
【図１】
2018045246.tif 000003
【図２】
2018045246.tif 000004
【図３】
2018045246.tif 000005
【図４】
2018045246.tif 000006
【図５】
2018045246.tif 000007
【図６】
2018045246.tif 000008